(57)【要約】      （修正有）【課題】様々な場所に取り付け可能な一体型人体赤外感応調光ソーラーＬＥＤライトを提供する。【解決手段】あらかじめ設定されている感応範囲内に物体の通過があるか否かを検出する検知部３４と、前記検知部で物体の通過を検知した際にあらかじめ設定されている照明範囲に向けて光を照射する照明部３０ａ，３０ｂとを備える。取り付け対象部材に対して取り付け、取り外し可能な本体部３１を備え、検知部が、本体部の下端側に、照明部が上端側に配備され、検知部は、回転可能に取りつけられていることが好ましい。また照明部は、検知部が検知した物体の移動に追随して回転可能に取りつけられていることが好ましい。【選択図】図１
0003192581.tif 000002
【実用新案登録請求の範囲】
【請求項１】
あらかじめ設定されている感応範囲内に物体の通過があるか否かを検出する検知部と、
前記検知部で物体の通過を検知した際にあらかじめ設定されている照明範囲に向けて光を照射する照明部と
を備えているセンサー付き照明器具。
【請求項２】
取り付け対象部材に対して取り付け、取り外し可能な本体部を備えていて、前記検知部が、当該本体部の下端側に配備され、前記照明部が当該本体部の上端側に配備されていることを特徴とする請求項１記載のセンサー付き照明器具。
【請求項３】
前記検知部は、前記本体部の上下方向に伸びる上下方向回転中心軸を中心にして回転可能に前記本体部に取りつけられていることを特徴とする請求項２記載のセンサー付き照明器具。
【請求項４】
前記検知部は、前記検知部で検知した前記物体が前記感応範囲内を通過する際に、前記上下方向回転中心軸を中心とした所定の回転角度で回転することにより、前記物体の前記感応範囲内での移動を追尾する機能を備えていることを特徴とする請求項３記載のセンサー付き照明器具。
【請求項５】
前記照明部は、前記本体部の上下方向に伸びる上下方向回転中心軸を中心にして回転可能に前記本体部に取りつけられていることを特徴とする請求項２乃至４のいずれか一項記載のセンサー付き照明器具。
【請求項６】
前記照明部は、前記検知部が検知した前記物体の移動に追随して前記上下方向回転中心軸を中心にして回転することを特徴とする請求項５記載のセンサー付き照明器具。
【請求項７】
前記照明部は、前記上下方向回転中心軸に対して直交する方向に伸びる水平方向回転中心軸を中心にして回転可能に前記本体部に取りつけられていることを特徴とする請求項２乃至５のいずれか一項記載のセンサー付き照明器具。
【請求項８】
前記照明部は、前記検知部が検知した前記物体の移動に追随して前記水平方向回転中心軸を中心にして回転することを特徴とする請求項７記載のセンサー付き照明器具。
【請求項９】
前記照明部は、前記本体部の上端側において、前記水平方向回転中心軸が伸びる方向で、前記本体部を中心にした対称な位置にそれぞれ配備されている２個の光照射部を備えていることを特徴とする請求項２乃至８のいずれか一項記載のセンサー付き照明器具。
【請求項１０】
前記２個の光照射部は、前記本体部の上下方向に伸びる上下方向回転中心軸を中心に同期して回転可能に前記本体部に取りつけられていることを特徴とする請求項９記載のセンサー付き照明器具。
【請求項１１】
前記２個の光照射部は、前記上下方向回転中心軸に対して直交する方向に伸びる水平方向回転中心軸を中心に同期して回転可能に前記本体部に取りつけられていることを特徴とする請求項９又は１０記載のセンサー付き照明器具。
【請求項１２】
前記照明部は、前記物体が、前記検知部の前記感応範囲より外側に移動した後、あらかじめ定められている時間にわたって前記光の照射を継続した後、前記光の照射を終了することを特徴とする請求項１乃至１１のいずれか一項記載のセンサー付き照明器具。
【請求項１３】
前記本体部は、時間制御ノッブを備えており、当該時間制御ノッブを調整することにより、前記物体が、前記検知部の前記感応範囲より外側に移動した後、前記光の照射を継続するあらかじめ定められている時間が調整されることを特徴とする請求項１２記載のセンサー付き照明器具。
【請求項１４】
前記検知部及び、前記照明部に供給される電源は、前記本体部が備えている蓄電池及び／又は前記本体部が備えている太陽光パネル及び当該太陽光パネルに接続されているバッテリと充放電コントローラからなることを特徴とする請求項１乃至１３のいずれか一項記載のセンサー付き照明器具。
【請求項１５】
前記太陽光パネルは、前記本体部に対して太陽光が照射してくる角度に応じて、前記本体部に取り付けられている角度を調整可能であることを特徴とする請求項１４記載のセンサー付き照明器具。
【請求項１６】
前記本体部に対して太陽光が照射してくる角度に応じた、前記太陽光パネルの前記本体部に取り付けられている角度の調整は、前記本体部に対して太陽光が照射してくる角度に追随して自動的に行われることを特徴とする請求項１５記載のセンサー付き照明器具。
【請求項１７】
前記照明部による前記光の照射はＬＥＤライトによるものであることを特徴とする請求項１乃至１６のいずれか一項記載のセンサー付き照明器具。
【請求項１８】
前記本体部は、前記ＬＥＤライトに駆動電流を提供するＰＷＭ調光可能定電流ＬＥＤドライバーと、当該ＰＷＭ調光可能定電流ＬＥＤドライバーに対して信号を出力するＰＷＭ調光信号発生器とを備えており、前記ＰＷＭ調光信号発生器から前記ＰＷＭ調光可能定電流ＬＥＤドライバーに対して提供される信号に応じて前記ＬＥＤライトの輝度が制御されることを特徴とする請求項１７記載のセンサー付き照明器具。
【請求項１９】
前記本体部は、調光ノッブを備えており、前記ＰＷＭ調光信号発生器から前記ＰＷＭ調光可能定電流ＬＥＤドライバーに対して提供される前記信号を、当該調光ノッブにより調節することにより、前記ＬＥＤライトの輝度が制御されることを特徴とする請求項１８記載のセンサー付き照明器具。
【請求項２０】
前記本体部は、機能選択スイッチを備えており、これにより、前記検知部及び前記照明部が自動的に機能する自動感応モードの開始、停止が切り替え入力されることを特徴とする請求項１乃至１９のいずれか一項記載のセンサー付き照明器具。
【考案の詳細な説明】
【技術分野】
【０００１】
この考案は、センサー付き照明器具に関し、特に、ＬＥＤライトを利用したセンサー付き照明器具、より具体的には、一体型人体赤外感応調光ソーラーＬＥＤライトに関する。
【背景技術】
【０００２】
従来、駐車場、車庫、廊下、ベランダ、台所、洗面所、倉庫、エレベーター口、子供の部屋、パブリックハウス通路、ユーティリティールーム等の自動開閉を要する場所に適用されるライトは、主に、伝統的な電球または省エネ灯を光源として用い、伝統的な電球はエネルギー消費が高く、頻繁に開閉すると、破損しやすい。
【０００３】
従来の省エネ灯内部には、水銀等の高汚染元素が含まれていることがあった。このような場合、環境保全に適合しなく、同様に、頻繁に開閉すると、光減衰が発生しやく、更に破損する問題が存在する。
【０００４】
地球のエネルギーは枯渇していて、環境汚染が深刻であり、省エネと環境保全の観念は人々の心に深く入る背景に、以上の２種類の光源はいずれもある程度の技術上のボトルネックが存在する。
【０００５】
ＬＥＤは新世代の半導体光源として、寿命が長く、省エネで、環境保全で（紫外線、ストロボ、重金属はない）、演色性がよく、エネルギー消費が低くても輝度が高い等の特徴を有し、未来照明技術の発展傾向となる。
【０００６】
同時に、太陽エネルギーはいくら取っても永遠に尽きることがないグリーンエネルギーとして人々の心に深く入る。
【０００７】
ＬＥＤ駆動電流は低いため、ソーラー電池を用いて安定化電源を提供と蓄積し、伝統的な技術のソーラーＬＥＤライトは自動感応機能を有しなく、同時に調光機能を有しなく、いずれかの点灯場合に点灯状態は高輝度を保持し、電気エネルギーを浪費する。
【０００８】
従って、上述した欠陥を克服する改良を提供する必要はある。
【先行技術文献】
【特許文献】
【０００９】
【特許文献１】特開２０００−１２５７４４号公報
【特許文献２】特開２００２−８３３８３号公報
【特許文献３】特開２００６−７５１５１号公報
【特許文献４】特開２０１２−５３６５８号公報
【特許文献５】実用新案登録第３１７１６５８号公報
【考案の概要】
【考案が解決しようとする課題】
【００１０】
本実用新案の目的は、従来の技術における問題に対して外観が新規で、手動スイッチまたは自動感応スイッチを設定でき、使用環境に応じてライトに対して自動感応光照射強度、感応遅延時間上のプリセットを行うことができ、同時にライトに対してリアルタイムに輝度を調整でき、太陽光照射角度によりソーラーパネル方位を調整できるグリーン、省エネ、環境保全型のＬＥＤ感応ライトを提供する。 
すなわち、本実用新型が解決しようとする技術問題には、様々な場所に取り付け可能な一体型人体赤外感応調光ソーラーＬＥＤライトを提供することが含まれる。
【課題を解決するための手段】
【００１１】
本考案に係るセンサー付き照明器具のキーポイント及び、保護点を列挙すると、例えば、以下のようなものがある。
【００１２】
１、被動型赤外線検出
２、照明領域調節可能なライトヘッド（ライトヘッド上下調節可能、左右調節可能、ライトヘッド回転ベース左右調節可能）
３、ＬＥＤ光源モジュール
４、ＬＥＤ光学システム（ライトヘッド、光学レンズ、レンズホルダ、反射カバー、光学ライトカバー）
５、自動ＯＮおよびＯＦＦ遅延
６、輝度調節可能、光制御、時間制御による調節
７、手動スイッチおよび自動感応スイッチ選択可能
８、ソーラーパネル方向調整可能（パネルベース左右可回転、パネル上下可調整）
９、外部アダプター交流充電またはソーラー充電選択可能、ＬＥＤモジュールは内蔵ニッケルクロム電池により給電される
１０、ＬＥＤ光源を用いる。寿命が長く、省エネで、環境保全であり（紫外線、ストロボ、重金属はない）、演色性がよい。スイッチを複数回に開閉しても光効率に影響を与えない
１１、専用のＰＷＭ信号発生器はユーザの照明要求に応じてライト輝度をリアルタイムに調節する
１２、専用ＬＥＤ定電流駆動回路および専用光学システムにおいて、光ファイバーが均一で、安定であり、光効率を更に向上させる
１３、照射領域は調節可能である
１４、充電方式は外接アダプター充電またはソーラー充電を選択でき、製品の適用場合を増加する
１５、被動型赤外検出機能が配置され、知能感応、自動開閉等の特徴を有し、自動開閉を要する場所に非常に適用される
１６、ソーラーパネル方向は調整可能であり、効果的に太陽光を吸収することに有利である
１７、単一または複数の調節可能なＬＥＤライトヘッドを設置することができ、クライアントは実際適用環境により、異なる照明目標領域を便利に調節することができ、固定型感応灯に存在する照明領域を調節できない欠陥を解決する
１８、給電形態はニッケルクロム電池で給電し、安全であり、信頼性がある
【００１３】
本考案の装置は省エネで、環境保全であり、携帯に便利で、応用分野は多元化である。
【００１４】
ソーラー電池およびＬＥＤライトの応用はますます幅広くなることに連れて、省エネ、環境保全の上、実用性が強い。光線を受けて充電するように、ソーラーパネルは調節可能なベースを用い、太陽光照射角度の変化に従い、受光面を調整し、充電効果を向上させる。
【００１５】
このように、本考案のセンサー付き照明器具５０は、本体部の下端中央部の検知部３４が人間などを検知すると自動的に照明が点灯し、照明が点灯した後、検知部３４で人間などが検知されなくなったときに、所定の時間をおいて自動的に消灯する。
【００１６】
検知部３４は図１に矢印４４、４５で示されているように左右に回転することができ、検知した人間などの動きに応じて左右に回転する。
【００１７】
本体部の上部の左右２箇所に備えられている２個の照明部３０ａ、３０ｂは図２に矢印４０、４１で示されているように、それぞれ、上下方向に回転することができる。前記２個の照明部３０ａ、３０ｂは、それぞれが、図３に矢印４２、４３で示されているように、左右方向に回転することができる。また、前記２個の照明部３０ａ、３０ｂは両者一体となって図３に矢印４２、４３で示されているように、左右方向に回転することができる。
【００１８】
検知部３４で検知した人間などの動きに応じて、照明部３０ａ、３０ｂからの光の照射方向が当該人間などの動きに追随するように、照明部３０ａ、３０ｂが前記の回転動作を行う。
【００１９】
検知部３４には赤外線センサなどが使用され、照明部の光源にはＬＥＤライトが使用される。
【００２０】
電源用に電池、蓄電池などを内蔵させることができる。ソーラー電池を内蔵させ、ソーラーパネルを用いて前記ソーラー電池を電源にすることもできる。
【００２１】
本実用新案登録出願では、以下の考案を登録請求している。
【００２２】
請求項１記載の考案は、
あらかじめ設定されている感応範囲内に物体の通過があるか否かを検出する検知部と、
前記検知部で物体の通過を検知した際にあらかじめ設定されている照明範囲に向けて光を照射する照明部と
を備えているセンサー付き照明器具である。
【００２３】
請求項２記載の考案は、
取り付け対象部材に対して取り付け、取り外し可能な本体部を備えていて、前記検知部が、当該本体部の下端側に配備され、前記照明部が当該本体部の上端側に配備されていることを特徴とする請求項１記載のセンサー付き照明器具である。
【００２４】
請求項３記載の考案は、
前記検知部は、前記本体部の上下方向に伸びる上下方向回転中心軸を中心にして回転可能に前記本体部に取りつけられていることを特徴とする請求項２記載のセンサー付き照明器具である。
【００２５】
請求項４記載の考案は、
前記検知部は、前記検知部で検知した前記物体が前記感応範囲内を通過する際に、前記上下方向回転中心軸を中心とした所定の回転角度で回転することにより、前記物体の前記感応範囲内での移動を追尾する機能を備えていることを特徴とする請求項３記載のセンサー付き照明器具である。
【００２６】
請求項５記載の考案は、
前記照明部は、前記本体部の上下方向に伸びる上下方向回転中心軸を中心にして回転可能に前記本体部に取りつけられていることを特徴とする請求項２乃至４のいずれか一項記載のセンサー付き照明器具である。
【００２７】
請求項６記載の考案は、
前記照明部は、前記検知部が検知した前記物体の移動に追随して前記上下方向回転中心軸を中心にして回転することを特徴とする請求項５記載のセンサー付き照明器具である。
【００２８】
請求項７記載の考案は、
前記照明部は、前記上下方向回転中心軸に対して直交する方向に伸びる水平方向回転中心軸を中心にして回転可能に前記本体部に取りつけられていることを特徴とする請求項２乃至５のいずれか一項記載のセンサー付き照明器具である。
【００２９】
請求項８記載の考案は、
前記照明部は、前記検知部が検知した前記物体の移動に追随して前記水平方向回転中心軸を中心にして回転することを特徴とする請求項７記載のセンサー付き照明器具である。
【００３０】
請求項９記載の考案は、
前記照明部は、前記本体部の上端側において、前記水平方向回転中心軸が伸びる方向で、前記本体部を中心にした対称な位置にそれぞれ配備されている２個の光照射部を備えていることを特徴とする請求項２乃至８のいずれか一項記載のセンサー付き照明器具である
請求項１０記載の考案は、
前記２個の光照射部は、前記本体部の上下方向に伸びる上下方向回転中心軸を中心に同期して回転可能に前記本体部に取りつけられていることを特徴とする請求項９記載のセンサー付き照明器具である。
【００３１】
請求項１１記載の考案は、
前記２個の光照射部は、前記上下方向回転中心軸に対して直交する方向に伸びる水平方向回転中心軸を中心に同期して回転可能に前記本体部に取りつけられていることを特徴とする請求項９又は１０記載のセンサー付き照明器具である。
【００３２】
請求項１２記載の考案は、
前記照明部は、前記物体が、前記検知部の前記感応範囲より外側に移動した後、あらかじめ定められている時間にわたって前記光の照射を継続した後、前記光の照射を終了することを特徴とする請求項１乃至１１のいずれか一項記載のセンサー付き照明器具である。
【００３３】
請求項１３記載の考案は、
前記本体部は、時間制御ノッブを備えており、当該時間制御ノッブを調整することにより、前記物体が、前記検知部の前記感応範囲より外側に移動した後、前記光の照射を継続するあらかじめ定められている時間が調整されることを特徴とする請求項１２記載のセンサー付き照明器具である。
【００３４】
請求項１４記載の考案は、
前記検知部及び、前記照明部に供給される電源は、前記本体部が備えている蓄電池及び／又は前記本体部が備えている太陽光パネル及び当該太陽光パネルに接続されているバッテリと充放電コントローラからなることを特徴とする請求項１乃至１３のいずれか一項記載のセンサー付き照明器具である。
【００３５】
請求項１５記載の考案は、
前記太陽光パネルは、前記本体部に対して太陽光が照射してくる角度に応じて、前記本体部に取り付けられている角度を調整可能であることを特徴とする請求項１４記載のセンサー付き照明器具である。
【００３６】
請求項１６記載の考案は、
前記本体部に対して太陽光が照射してくる角度に応じた、前記太陽光パネルの前記本体部に取り付けられている角度の調整は、前記本体部に対して太陽光が照射してくる角度に追随して自動的に行われることを特徴とする請求項１５記載のセンサー付き照明器具である。
【００３７】
請求項１７記載の考案は、
前記照明部による前記光の照射はＬＥＤライトによるものであることを特徴とする請求項１乃至１６のいずれか一項記載のセンサー付き照明器具である。
【００３８】
請求項１８記載の考案は、
前記本体部は、前記ＬＥＤライトに駆動電流を提供するＰＷＭ調光可能定電流ＬＥＤドライバーと、当該ＰＷＭ調光可能定電流ＬＥＤドライバーに対して信号を出力するＰＷＭ調光信号発生器とを備えており、前記ＰＷＭ調光信号発生器から前記ＰＷＭ調光可能定電流ＬＥＤドライバーに対して提供される信号に応じて前記ＬＥＤライトの輝度が制御されることを特徴とする請求項１７記載のセンサー付き照明器具である。
【００３９】
請求項１９記載の考案は、
前記本体部は、調光ノッブを備えており、前記ＰＷＭ調光信号発生器から前記ＰＷＭ調光可能定電流ＬＥＤドライバーに対して提供される前記信号を、当該調光ノッブにより調節することにより、前記ＬＥＤライトの輝度が制御されることを特徴とする請求項１８記載のセンサー付き照明器具である。
【００４０】
請求項２０記載の考案は、
前記本体部は、機能選択スイッチを備えており、これにより、前記検知部及び前記照明部が自動的に機能する自動感応モードの開始、停止が切り替え入力されることを特徴とする請求項１乃至１９のいずれか一項記載のセンサー付き照明器具である。
【図面の簡単な説明】
【００４１】
【図１】本考案のセンサー付き照明器具の一実施形態を表す斜め下方向から見た斜視図である。
【図２】本考案のセンサー付き照明器具の一実施形態を表す左側面図である。
【図３】本考案のセンサー付き照明器具の一実施形態を表す平面図である。
【図４】本考案のセンサー付き照明器具の一実施形態を表す分解斜視図である。
【図５】本考案のセンサー付き照明器具の一実施形態を表す他の分解斜視図である。
【考案を実施するための形態】
【００４２】
本考案のセンサー付き照明器具は、例えば、 駐車場、車庫、廊下、ベランダ、台所、洗面所、倉庫、エレベーター口、子供の部屋、パブリックハウス通路、ユーティリティールーム等の自動開閉を要する場所およびいかなるソーラー電池に対する充電可能な場所に適用できる。本考案のセンサー付き照明器具は、これらの場所の壁や柱などの取り付け対象部材に対して取り付け、取り外し可能な本体部を備えている。
【００４３】
本実用新案は被動人体赤外線検出技術を利用している。特定の領域内の物体（例えば、人など）を検出し、有効なフィードバックを検出した後に、内部回路はＬＥＤ光源をＯＮにするように制御し、調節済みの領域を照明し、かつ人または物を検出し続ける。
【００４４】
検出された人または物は有効検出範囲から離れると、システムは自動にカウントダウンし、あらかじめ設定した時間までにカウントダウンした後に、ＬＥＤ光源をＯＦＦにし、再び監視状態に入る。
【００４５】
本実用新案は人の目が光線に対する実際要求に応じてライト輝度のリアルタイム調節を行うことができ、かつ、ソーラー電池給電または外部アダプターＡＣ給電の２種類の給電モード選択を提供する。
【００４６】
本実用新案が採用している技術には次のようなものがある。
【００４７】
ａ、被動型赤外線検出
ｂ、照明領域調節可能なライトヘッド（ライトヘッドは上下調節可能、左右調節可能であり、ライトヘッド回転ベースは左右調節可能である。）
ｃ、ＬＥＤ光源
ｄ、ＬＥＤ光学システム（ライトヘッド、灯珠ホルダ、光学レンズ、反射カバー、ライトカバー）
ｅ、照明強度、自動遅延時間のプリセット可能な感応装置
ｆ、感応角度調節可能な感応装置
ｇ、照明輝度調節可能
ｈ、ソーラーパネル方向調節可能
【００４８】
本考案のセンサー付き照明器具は、例えば、一体型人体赤外感応調光ソーラーＬＥＤライトであって、ソーラーパネル、灯体、ＬＥＤモジュール、ニッケル・カドミウム電池、充電制御回路および灯柱を備え、前記灯体の下部に灯箱パネルが設けられ、灯体板面にＬＥＤモジュールが設けられ、灯箱内部にソーラー充放電制御回路、ニッケル・カドミウム電池、パイロ電気赤外感応モジュール、ＰＷＭ信号発生器が設けられ、前記パイロ電気赤外感応モジュールの感応プローブが灯箱パネルに設けられ、前記パイロ電気赤外感応モジュールがＰＷＭ信号発生器に接続され、ＰＷＭ信号発生器がＰＷＭ調光可能定電流ＬＥＤドライバーに接続され、ＰＷＭ調光可能定電流ＬＥＤドライバーがＬＥＤモジュールに接続され、かつ感応動作モードに、パイロ電気赤外人体感応モジュールが人の運動を検出すると、ＰＷＭ信号発生器がＬＥＤモジュールのＬＥＤライトをオンにするように制御し、人がライトの感応範囲から離れて一定の時間を経過した時に、ＬＥＤライトが消灯する。ＬＥＤ動作状態の輝度は具体的な使用環境に応じて手動でリアルタイムに調節することができる。
【００４９】
前記灯体の周辺は型材より構成される枠組みとなり、前記ソーラーパネルと灯体とは分離部品であり、それらの間は接続線によりつながる。
【００５０】
上述したソーラーパネルは発電部品であり、ソーラーパネル受光面は上方に向け、昼間に太陽エネルギーを吸収して電気エネルギーに変換し、充放電制御回路を介してニッケル・カドミウム電池に蓄積し、充放電制御回路は過充電、過放電、短路、オーバーロード及び逆接などの防止機能を有する。
【００５１】
前記パイロ電気赤外感応装置は、設定した感応範囲内に人の経過があるか否かを検出する。人が経過すると、パイロ電気赤外感応モジュールは感応信号を調光可能定電流ＬＥＤドライバーに出力し、ＬＥＤ定電流ドライバーを動作させ、そして該信号を特定の時間（維持時間調節可能）維持させ、人がライト照明範囲を経過する時にＬＥＤモジュールの灯珠があらかじめ設定した輝度を保持するように保証する。それとともに、感応装置は光制御、時間制御調整可能な機能を有し、夜に自動に点灯し、特定の時間を経過した後に自動に消灯することができる。
【００５２】
前記ＰＷＭ調光信号発生器は、ＬＥＤモジュール灯珠点灯の場合に、ユーザが光線に対する実際要求に応じて、調光ノッブにより出力信号を調節し、かつＬＥＤ定電流ドライバーを制御し、ＬＥＤモジュールの灯珠輝度を制御する。
【００５３】
前記ＰＷＭ調光可能定電流ＬＥＤドライバーは、ＬＥＤモジュールの灯珠に一定の駆動電流を提供し、同時に、ＰＷＭ調光信号を受信し、灯板が出力する輝度を調整する。
【００５４】
前記ＬＥＤモジュールには、特定数のＬＥＤの灯板を溶接し、駆動回路が駆動電流を提供して点灯する。
【００５５】
本実用新案のメリットは、パイロ電気赤外感応モジュールおよびＰＷＭ信号発生器が設けられるので、パイロ電気赤外感応モジュールは人がライトの検出範囲を経過することを検出すると、感応装置はＬＥＤ定電流ドライバーがＬＥＤモジュール灯珠を点灯させるように制御し、調光可能ＬＥＤ定電流駆動が設けられるので、ライトの発光輝度を調節することができる。人が感応範囲から離れて特定の時間を経過した後に、ＬＥＤライトを消灯させ、このようにして、省エネの上、使用が便利になる。また、ライト本体の大部分は型材により接続されるので、主要部品の接続が簡単、便利となり、ならびに、製造コストを低減し、組立効率を向上させる。同時に、ライトの取り付けは簡単、安全になり、信頼性があり、ヒューマニゼーションの調節装置の配置もよいユーザ体験を提供する。
【００５６】
添付した図面に表されているように、本考案のセンサー付き照明器具は、例えば、次のような構成からなる。
【００５７】
（１）ＬＤＥ光源ユニットからなる光学システム３５ａ、３５ｂ
（２）ライト本体ハウジング。本体ハウジングに上ホルダ、下ホルダ、回転ホルダが設けられ、ライトヘッド数に応じて対応の回転ホルダを設置することができる
（３）人体赤外感応ユニット
（４）電池充放電ユニット
（５）ライト下カバーおよび固定片一体型ベース
【００５８】
光学システムを有するＬＥＤ光源ユニット内には、ライトヘッドハウジング、ＬＥＤ光源、光源放熱器、レンズホルダ、光学レンズ、光学反射カバーおよび光学拡散カバーが配置される。
【００５９】
ライト本体ハウジングには、ＰＷＭ調光信号発生器を内蔵しているＰＷＭ調光器６、駆動電源、ライトヘッド１９と本体１７を接続させる上ホルダ２５と、対応している下ホルダと回転ホルダ２、各部分を接続させるコネクタおよび赤外感応ユニットを接続させる接続溝が配置される。
【００６０】
人体赤外感応ユニット内には、赤外センサーおよび相応の検出回路モジュール、光学レンズモジュールが配置される。
【００６１】
電池充放電ユニットには、電池ケース充放電制御回路、電源接続線および充放電ポートが配置される。
【００６２】
ライト下カバー及び固定片一体型ベースは、ライト本体ハウジング下カバーおよび取付には必要となる固定片を備える。
【００６３】
以上の実施例は本実用新案を説明するが、本実用新案を制限するものではなく、以上の記載のはただ本実用新案の好ましい実施例である。このため、本実用新案の登録請求の範囲に基づいて前記考案に対して作った同等変更または修飾は、いずれも、本件実用新案登録出願の実用新案登録請求の範囲の記載から把握される技術的範囲内に含まれる。
【符号の説明】
【００６４】
１  下ホルダ
２  回転ホルダ 
３  電池ケース
４  本体下カバー
５  固定ベース
６  ＰＷＭ調光器
７  ＬＥＤ調光可能定電流ドライバー
８  充電ポート
９  機能選択スイッチ
１０  時間制御ノッブ
１１  光制御ノッブ
１２  調光ノッブ 
１３  感応レンズ
１４  レンズ係止リング
１５  プローブ
１６  感応制御装置
１７  本体
１８  ライトハウジング
１９  ライトヘッド
２０  反射カバー
２１  レンズ
２２  灯珠ホルダ
２３  灯珠
２４  放熱器
２５  上ホルダ
３０ａ、３０ｂ  ハウジング
３２  給電装置
３３  取付板と底板一体型
３４  感応システム
３５ａ、３５ｂ  光学システム
【図１】
0003192581.tif 000003
【図２】
0003192581.tif 000004
【図３】
0003192581.tif 000005
【図４】
0003192581.tif 000006
【図５】
0003192581.tif 000007